(57)【要約】【課題】回転位置検出手段のメンテナンスを容易に行うことができる回転型表示器を有する遊技機を提供する。【解決手段】遊技機の回転型表示器１０に、筺体１２ｃで覆われ、回転体１１に連結された駆動軸１２ｄを有する駆動手段１２が設けられている。駆動手段１２の筺体１２ｃの外面には、凹部１２ｃＡが設けられている。凹部１２ｃＡには、駆動軸１２ｄと連動して回転する被検出部１３ｂと、被検出部１３ｂを検出する検出手段１３ｃとを有する回転位置検出手段１３が配置されている。【選択図】        図２
2004329569.tif 000002
【特許請求の範囲】
【請求項１】
周方向に沿って表示用図柄が設けられている回転体と、筐体で覆われ、回転体に連結された駆動軸を有する駆動手段とを備える回転型表示器が設けられた遊技機であって、
回転型表示器は、駆動軸と連動して回転する被検出部と、被検出部を検出する検出手段を有する回転位置検出手段を備え、
回転位置検出手段は、駆動手段の筐体の外面に位置している遊技機。
【発明の詳細な説明】
【０００１】
【発明の属する技術分野】
本発明は、回転型表示器が設けられた遊技機に関する。
【０００２】
【従来の技術】
パチンコ機やスロットマシン等の遊技機では、表示用図柄を表示する表示装置が設けられている。
例えば、従来の一般的なスロットマシンでは、表示装置として、三つの回転体（リール）を備えている。各回転体の外周面には複数（例えば２１個）の表示用図柄（文字、数字、アルファベット、風景、キャラクタ等の種々の図柄）が設けられている。
ここで、スロットマシンにおける遊技は次のように行われる。遊技者が投入口に遊技媒体（例えば、メダル）を投入して始動レバーを操作すると、三つの回転体が回転し始める。回転体の回転開始後に遊技者が回転体の停止ボタンを操作すると、操作した停止ボタンに対応する回転体が回転を停止する。これにより、遊技機前面の表示部に、当該回転体の停止位置に対応する表示図柄が表示される。全ての回転体について回転を停止させると、表示部には図柄の組み合わせが表示される。始動レバーを操作する前に設定された有効ライン上に「当たり」となる所定の図柄の組み合わせ（例えば「赤７」，「赤７」，「赤７」）が表示されると、遊技者に特典が付与される。例えば、遊技媒体を多く獲得できる可能性のあるボーナスゲーム（ビッグボーナスゲームやレギュラーボーナスゲーム等）を行うことができたり、遊技媒体の払い出しを受ける等種々の特典が設けられている。
【０００３】
回転体を含む表示装置には、例えば、図７に示すような、回転型表示器１１０が用いられている。回転型表示器１１０は、回転体１１１と、電動機（例えば、パルスモータ）等の駆動手段１１２と、駆動手段１１２を制御する制御手段（図示していない。）とを備えている。回転体１１１の外周面には、複数の表示用図柄が周方向に設けられている。駆動手段１１２の駆動軸１１２ｄは、回転体１１１の回転軸に連結されている。そして、制御手段は、停止ボタンの操作タイミングに応じて、回転体１１１に設けられている所定の表示用図柄が表示部に表示されるように駆動手段１１２を制御する。
【０００４】
ここで、例えば、駆動手段１１２がパルスモータの場合、入力する駆動パルス１つ当たりの回転体１１１の回転角は決まっている。このため、例えば、パルスモータに供給した駆動パルス数をカウントして、位置カウンタに保持しておく。そして、位置カウンタのカウント値から回転体１１１の回転位置を判別することができる。しかしながら、脱調現象等によって、駆動パルス数と回転体１１１の実際の回転角にズレが生じる場合がある。このような場合、回転体１１１に設けられている所定の表示用図柄が、正確に表示部に表示されなくなる。
そこで、回転型表示器１１０では、回転位置検出手段１１３を用いて回転体１１１の実際の回転角を検出している。回転位置検出手段１１３は、被検出部１１３ｂと、検出手段１１３ｃを備えている。被検出部１１３ｂとしては、駆動手段１１２の筐体１１２ｃ内部の回転子１１２ａに設けられた突起が用いられている。被検出部１１３ｂは、例えば、１個設けられている。被検出部１１３ｂを検出する検出手段１１３ｃは、筐体１１２ｃの、被検出部１１３ｂと対向する位置に固定されている。そして、回転位置検出手段１１３は、制御手段に配線で接続されている。
検出手段１１３ｃは、被検出部１１３ｂを検出すると、検出信号を出力する。制御手段は、この検出信号を検出すると、制御手段の位置カウンタ（回転体１１１の位置を示す値が格納されている。）をプリセット（補正）する。例えば、位置カウンタを「０」にプリセットし、回転体１１１の「基準位置」とする。このようにして、位置カウンタの値は、回転体１１１が１回転する毎に補正される。これにより、駆動パルス数と回転体１１１の実際の回転角の間のズレを補正することができ、回転体１１１に設けられている所定の表示用図柄を正確に表示部に表示させることができる（特許文献１参照）
【０００５】
【特許文献１】
特許第２９０７４９９号公報
【０００６】
【発明が解決しようとする課題】
従来では、回転位置検出手段１１３が駆動手段１１２の筐体１１２ｃ内部に設けられている。このため、回転位置検出手段１１３の点検や交換等のメンテナンスを行う場合、駆動手段１１２の筐体１１２ｃを分解する必要があり、面倒であった。
そこで、本発明は、回転位置検出手段のメンテナンスを容易に行うことができる回転型表示器を有する遊技機を提供することを目的とする。
【０００７】
【課題を解決するための手段】
前記課題を解決するための本発明の第１発明は、請求項１に記載されたとおりの遊技機である。
請求項１に記載の遊技機では、駆動手段の駆動軸の回転位置を検出する回転位置検出手段が、駆動手段の筐体の外面に設けられた凹部に位置している。
請求項１に記載された遊技機によれば、回転位置検出手段が、駆動手段の筐体の外面に設けられた凹部に位置しているため、回転位置検出手段のメンテナンスを行う場合等に、従来のように駆動手段の筐体を分解する必要がない。このため、回転位置検出手段のメンテナンス性が向上する。
【０００８】
【発明の実施の形態】
以下に、本発明の第１〜第３の実施の形態を図面を参照して説明する。
第１〜第３の実施の形態は、本発明の遊技機をスロットマシンとして構成したものである。
まず、第１の実施の形態の遊技機の表示装置１で用いる、回転型表示器１０、２０、３０を図１、図２に示す。図１は、回転型表示器１０、２０、３０の概略構成図（遊技機の前面から見た図）である。図２は、図１中に一点鎖線で示すα部の断面図である。
第１の実施の形態では、図１に示すように、水平方向（図１に示す左右方向）に、三つの回転型表示器１０、２０、３０が設けられている。回転型表示器１０、２０、３０は、取り付け部４０に収容されている。取り付け部４０は、例えば、箱状の収容部材である。回転型表示器１０は、固定部材１４を介して取り付け部４０に固定されている。回転型表示器２０は、固定部材２４を介して取り付け部４０に固定されている。回転型表示器３０は、固定部材３４を介して取り付け部４０に固定されている。
【０００９】
回転型表示器１０、２０、３０は同一の構成であるため、以下では、回転型表示器１０について説明する。
回転型表示器１０には、回転体１１と、駆動手段１２とが設けられている。駆動手段１２は、例えば、回転体１１に連結された駆動軸１２ｄを有する電動機（パルスモーター等）である。固定部材１４には駆動軸１２ｄが貫通される孔１４ａが設けられている。そして、駆動軸１２ｄは、回転体１１の回転軸１１ａと連結される。なお、図示は省略しているが、駆動手段１２を制御する制御手段が設けられている。制御手段は、駆動手段１２（例えば、固定子コイル、回転位置検出手段）と配線で接続されている。
また、回転体１１の外周面には、周方向に沿って複数の表示用図柄（文字、数字、アルファベット、風景、キャラクタ等）が設けられている。
【００１０】
ここで、駆動手段１２の構成について詳細を説明する。
駆動手段１２には、図２に示すように、回転子（ロータ）１２ａ、固定子（ステータ）１２ｂ、筐体１２ｃ、駆動軸１２ｄが設けられている。
回転子１２ａは、例えば、磁石により断面略コ字状に形成されている。回転子１２ａは、回転部１２ａＢと、回転部１２ａＢを駆動軸１２ｄに支持する支持部１２ａＡにより構成されている。回転部１２ａＢは、例えば、円筒形に形成されている。支持部１２ａＡは、例えば、円盤状に形成されていて、中心部に駆動軸１２ｄを挿入する孔が設けられている。これにより、回転子１２ａの、回転体１１と反対側に凹部が形成されている。
固定子１２ｂには、固定子鉄心や固定子コイル（図示していない。）が設けられている。固定子１２ｂの内径は、回転部１２ａＢの外径よりも所定の寸法だけ大きく構成されている。
筐体１２ｃには、基部７０と、収容部材８０が設けられている。基部７０には、所定の位置に所定の数の取り付け孔と、駆動軸１２ｄを貫通させる孔７１とが設けられている。孔７１には、軸受けが設けられている。収容部材８０には、外周部８１と、外側部８２と、内周部８３と、内側部８４が設けられている。外周部８１は、例えば、固定子１２ｂの外周に当接する円筒状部材である。また、内側部８４は、内周部８３によって、外側部８２の位置より支持部１２ａＡ側に配置されている。外周部８１と、外側部８２と、内周部８３と、内側部８４と、基部７０によって、筐体１２ｃ内部に回転子１２ａが回転可能な空間及び固定子１２ｂを収容可能な空間が確保されている。また、内周部８３と内側部８４により、筐体１２ｃの外面に、回転体１１と反対側に凹部１２ｃＡが形成されている。
ここで、駆動手段１２の回転子１２ａは、固定子１２ｂと回転部１２ａＢとの磁気作用により回転する。一方、回転位置検出手段１３が設けられる凹部１２ｃＡを形成する内周部８３及び内側部８４は、回転子１２ａの円筒形状の凹部に配置される。このため、凹部１２ｃＡを設けても、駆動手段１２の動作特性は変化しない。
内側部８４の中心部には、駆動軸１２ｄを貫通させる孔８５が設けられている。孔８５には、軸受けが設けられている。
駆動軸１２ｄが回転可能であれば、孔７１と孔８５の軸受けは省略してもよいし、軸受け以外の部品を用いてもよい。
なお、本実施の形態では、基部７０、外側部８２、内側部８４は、外周が円形状に形成されている。
外周部８１と、外側部８２と、内周部８３と、内側部８４は、一体的に成型されていてもよいし、個々の部材を接着してもよい。
【００１１】
このようにして、図２に示すように、略コ字型の筐体１２ｃの内部に固定子１２ｂと回転子１２ａが収容される。
また、回転子１２ａに取り付けられた駆動軸１２ｄは、筐体１２ｃ外部の両方向（図２において左右方向）に突出した状態で、孔７１、孔８５を介して回転可能に支持されている。
また、筐体１２ｃの外面には、収容部材８０の内周部８３と内側部８４によって凹部１２ｃＡが形成される。
【００１２】
このように構成された駆動手段１２を、固定部材１４に取り付ける。まず、固定部材１４の孔１４ａに、駆動軸１２ｄを貫通させる。そして、固定部材１４から突出した駆動軸１２ｄを、回転体１１の回転軸１１ａに連結する。これにより、固定部材１４の孔１４ａと、基部７０の孔７１の位置が合わさる。そして、例えば、基部７０の所定の位置に設けられた取り付け孔に、取り付け用部品（例えば、ビス、ネジ）を挿入して、固定部材１４に固定する。
【００１３】
次に、回転位置検出手段１３の構成について詳細を説明する。
本発明では、回転位置検出手段１３は、駆動手段１２の凹部１２ｃＡに配設されている。なお、凹部１２ｃＡは、例えば、ネジ５０ａ〜５０ｄにより収容部材８０に取り付けられる蓋部材１５で覆われている。
回転位置検出手段１３には、被検出部支持部材１３ａと、被検出部支持部材１３ａに設けられた被検出部１３ｂと、検出手段１３ｃが設けられている。
被検出部支持部材１３ａは、例えば、円盤形状の部材が用いられる。被検出部支持部材１３ａは、凹部１２ｃＡに突出している駆動軸１２ｄに、着脱可能に取り付けられる。そして、被検出部支持部材１３ａの、内側部８４と反対側の面の所定の位置に、被検出部１３ｂが設けられている。
検出手段１３ｃは、種々の部品や配線パターン等の回路部品が設けられた検出手段用回路基板（図示していない。）に取り付けられている。検出手段用回路基板は、蓋部材１５の凹部１２ｃＡを覆う側の面に配設する。この際、検出手段１３ｃが、被検出部１３ｂと対向する位置に配置されるように検出手段用回路基板を配設する。検出手段用回路基板は、制御手段（図示していない。）等に配線で接続されている。
このような構成によれば、蓋部材１５を取り外すだけで、回転位置検出手段１３の被検出部１３ｂと検出手段１３ｃとを別々に露出させることができる。これにより、被検出部と検出手段の個々のメンテナンスを容易に行うことができる。
なお、本実施の形態では、検出手段１３ｃが取り付けられた検出手段用回路基板を蓋部材１５に配設したが、検出手段用回路基板を蓋部材１５として用いてもよい。これにより、部品点数が低減される。検出手段用回路基板を蓋部材１５として用いると、回路部品のハンダ付け部が外部に露出することがあるが、遊技機に回転型表示器１０が組み込まれた状態では、検出手段用回路基板（蓋部材１５）には遊技媒体が接触することがない。このため、例えば、検出手段用回路基板に設けられている回路部品のハンダ付け部と遊技媒体とを介して、回路部品が短絡されることはない。ただし、このような短絡等を確実に防止するためには、回路部品のハンダ付け部が外部に露出しないように構成するのが望ましい。
【００１４】
検出手段１３ｃは、被検出部支持部材１３ａに設けられている被検出部１３ｂを検出する（被検出部１３ｂの通過を検出する）。本実施の形態では、回転位置検出手段１３は、遮光式のフォトセンサを用いている。検出手段１３ｃには、発光器と受光器が設けられていて、被検出部１３ｂが回転して検出手段１３ｃが設けられている位置を通過する際に、発光器と受光器の間を通過するように構成されている。例えば、図２に示すように、断面形状が略コ字形状を有する基部と、基部に取り付けられた発光器及び受光器により構成されている。発光器及び受光器は、基部の略コ字形状を形成する一方の突起に発光器が、他方の突起に受光器が設けられている。発光器と受光器は、１組設けてもよいし複数組設けてもよい。この場合、被検出部１３ｂとしては、光を透過させない特性（遮光特性）を有する部材を用いる。被検出部１３ｂが検出手段１３ｃが設けられている位置を通過する時には、発光器からの光信号が被検出部１３ｂに遮られて受光器で受信できない（被検出部１３ｂが通過する時以外は、受信している。）。これにより、検出手段１３ｃは、被検出部１３ｂの通過を検出し、検出信号を出力する。
なお、検出手段１３ｃは、反射式のフォトセンサを用いることもできる。この場合には、検出手段１３ｃの発光器及び受光器は、被検出部１３ｂが検出手段１３ｃの設置位置を通過する際に、被検出部１３ｂに対して同じ側に位置するように配置されている。そして、被検出部１３ｂとして、光を反射する特性（反射特性）を有するものを用いる。被検出部１３ｂが検出手段１３ｃが設けられている位置を通過する時には、発光器からの光信号が被検出部１３ｂで反射して受光器で受信される（被検出部１３ｂが通過する時以外は、受信していない。）。これにより、検出手段１３ｃは、被検出部１３ｂの通過を検出し、検出信号を出力する。
また、検出手段３０としては、光学式に限定されず、磁気式等の種々の方式の検出手段を用いることができる。
【００１５】
検出手段１３ｃが、被検出部１３ｂを検出して検出信号を出力すると、制御手段は、例えば、駆動手段１２に出力する駆動パルスの数を示す位置カウンタ（回転体１１の位置を示す値が格納されている。）をプリセットする。例えば、位置カウンタを「０」にリセットし、その位置を回転体１１の「基準位置」とする。このようにして、位置カウンタの値を、回転体１１が１回転する毎に補正することができる。これにより、駆動パルス数と回転体１１の実際の回転角のズレが発生した場合でも、回転体１０に設けられている所定の表示用図柄を正確に表示部に表示させることができる。
【００１６】
このように構成した第１の実施の形態の回転型表示器１０、２０、３０を備えた遊技機では、下記のような利点がある。例えば、回転位置検出手段１３に不具合等が発生してメンテナンスを行う場合に、蓋部材１５を取り外すのみでよく、駆動手段１２の筐体１２ｃを分解する必要がない。
また、遊技機の仕様の変更等により、被検出部支持部材１３ａに取り付ける被検出部１３ｂの数等を変更する場合がある。例えば、複数の被検出部１３ｂを設け、回転体１１の複数の回転位置で位置カウンタの値を補正する際にも、蓋部材１５を取り外すのみで変更することができ、駆動手段１２の筐体１２ｃを分解する必要がない。
また、回転体１１の表示図柄を変更して（例えば、回転体１１に貼り付けてある表示図柄のリールテープを貼りかえて）回転型表示器１０、２０、３０を、別の遊技機で再利用する場合がある。この際、例えば、被検出部１３ｂの位置や数を変更する場合がある。この場合にも、被検出部１３ｂあるいは検出手段１３ｃを交換するのみでよいため、コストが安価である。
このように、第１の実施の形態の回転型表示器１０、２０、３０を備えた遊技機を用いれば、回転型表示器１０、２０、３０のメンテナンス性が向上する。また、駆動手段１２を含む回転型表示器１０、２０、３０を種々のタイプの遊技機で兼用することができる。このため、コストを低減することができる。また、再利用できる可能性が広がるので、廃棄物削減の点でも利点がある。
また、同時に、第１の実施の形態では、回転位置検出手段１３を、駆動手段１２の筐体１２ｃの外面に形成された凹部１２ｃＡに設けているので、回転型表示器１０、２０、３０の幅（図１において、左右方向の寸法）を低減することができる。このため、回転型表示器１０、２０、３０の各設置スペースを省スペース化することができ、遊技機の設計の自由度が高まる。
【００１７】
次に、本発明の第２の実施の形態を図３、図４に示す。図３は第２の実施の形態で用いる回転型表示器１０ａ、２０ａ、３０ａの概略構成図（遊技機の前面から見た図）である。図４は、図３中に一点鎖線で示すβ部の断面図である。
回転型表示器１０ａ、２０ａ、３０ａは同一の構成であるため、以下では、回転型表示器１０ａについて説明する。
回転型表示器１０ａでは、第１の実施の形態で用いる回転型表示器１０と比較して、回転体１１、駆動手段１２、回転位置検出手段１３の構成は同様であるが、固定部材１４ｂへの取り付け方が相違している。
回転型表示器１０ａでは、駆動手段１２及び回転位置検出手段１３が、回転体１１の外周（表示用図柄が設けられた外枠）の内側に収容されるように取り付けられている。
【００１８】
固定部材１４ｂには、例えば、蓋部材１５が挿通可能な大きさの内周径を有する孔１４ｂＡが設けられている。また、ネジ６０ｂ〜６０ｅ用の取り付け孔が所定の位置に設けられている。
一方、駆動手段１２の基部７０には、取り付け補助部材が設けられている。本実施の形態では、図４において上部及び下部に各２個の取り付け補助部材１４ｃ〜１４ｆが設けられている。取り付け補助部材１４ｃ〜１４ｆは、例えば、円筒形状に形成されている。
そして、駆動軸１２ｄを回転体１１の回転軸１１ａに連結した状態で、基部７０を、取り付け補助部材１４ｃ〜１４ｆを用いて固定部材１４ｂに取り付ける。例えば、固定部材１４ｂに設けられた取り付け用孔に補助部材１４ｃ〜１４ｆを挿通して、取り付け用部品（例えば、ネジ６０ｂ〜６０）で固定する。
基部７０を固定部材１４ｂに取り付ける方法は、このような方法に限定されるものではない。例えば、ネジではなくビス等で固定してもよい。
【００１９】
このように構成した第２の実施の形態では、回転位置検出手段１３のメンテナンスを行う場合に、蓋部材１５を取り外すのみでよく、駆動手段１２の筐体１２ｃを分解する必要がない。このため、メンテナンスを行うことが容易である。
また、第２の実施の形態で用いている回転型表示器１０ａ、２０ａ、３０ａは、第１の実施の形態で用いている回転型表示器１０、２０、３０と比較して、回転型表示器１０ａ、２０ａ、３０ａの幅（図３、図４において左右方向の寸法）を減少させることができる。このため、遊技機において、回転型表示器１０ａ、２０ａ、３０ａを設置するスペースが削減できる。これにより、遊技機の設計の自由度が増大する。
【００２０】
第２の実施の形態で用いる回転型表示器１０ａでは、駆動手段１２（の筐体）全体を、回転体１１の外周の内側に収容した。しかしながら、駆動手段１２の一部を、回転体１１の外周の内側に収容してもよい。この場合でも、回転型表示器１０ａの幅を低減することができる。
なお、“回転体１１の外周（表示用図柄が設けられた外枠）”とは、例えば、外周に切り欠き等が設けられている場合には、切り欠き等がない状態の外周を意味する。
【００２１】
また、第２の実施の形態では、固定部材１４ｂに孔１４ｂＡを形成し、凹部１２ｃＡを覆う蓋部材１５を設けたが、図５に示すように、蓋部材１５を設けることなく、駆動手段１２を固定部材１４ｇに取り付けてもよい。
この場合、固定部材１４ｇには、図４に示すような孔１４ｂＡを設ける必要がなく、また、蓋部材１５が不要となる。回転位置検出手段１３の検出手段１３ｃは、板状部材１４ｇの被検出部１３ｂと対向する位置に取り付ける。そして、回転位置検出手段１３のメンテナンスを行う場合には、回転型表示器１０ａを固定部材１４ｇから取り外す。この場合でも、駆動手段１２の筺体１２ｃを分解する必要がないため、回転位置検出手段１３のメンテナンスを容易に行うことができる。これによれば、蓋部材１５で凹部１２ｃＡを覆う必要がないので、回転型表示器１０ａの組み立てが容易である。また、蓋部材１５が必要ないので、回転型表示器１０ａのコストを低減することができる。また、固定部材１４ｇに蓋部材１５が挿通可能な大きさの内周径を有する孔を設ける必要もないので、回転型表示器１０ａのコストを低減することができる。
【００２２】
次に、本発明の遊技機の第３の実施の形態を図６に示す。図６は第３の実施の形態の回転型表示器１０ｂ、２０ｂ、３０ｂの概略構成図（遊技機の前面から見た図）である。
第３の実施の形態で用いる回転型表示器１０ｂでは、第１の実施の形態の回転型表示器１０と比較して下記の点で相違している。複数の回転型表示器１０ｂ、２０ｂ、３０ｂを水平方向（図６に示す左右方向）に並べて設ける場合、各回転型表示器１０ｂ、２０ｂ、３０ｂの相互の設置位置が相違している。
例えば、回転体１１ｂは、回転軸１１ｅを駆動手段１２の駆動軸１２ｄに連結する側と反対側（図６において右側）に、凹部１１ｇが設けられている。例えば、図６に示すように、回転軸１１ｅを回転体１１ｂの中心位置で固定する支持部材（リブ）１１ｆが回転体１１ｄの外周部から中心部に向けて傾斜して設けられている。これにより、支持部材１１ｆの、駆動手段１２と反対側に凹部１１ｇが形成される。回転体２１ｂ、３１ｂも回転体１１ｂと同様の構成になっている。そして、回転型表示器２０ｂの、駆動手段２２の（駆動手段２２の筺体の）少なくとも一部が、回転体１１ｂの凹部１１ｇ、すなわち回転体１１ｂの外周（表示用図柄が設けられた外枠）の内側に収容され配設されている。
支持部材１１ｆの形状は、適宜変更可能である。
【００２３】
第３の実施の形態では、回転型表示器１０ｂ、２０ｂ、３０ｂを並べた表示装置１ｂの水平方向（図６において左右方向）の幅を、駆動手段１２を回転体の内側に収容している長さ分、低減することができる。このため、遊技機において、表示装置１ｂを設置するスペースが削減できる。これにより、遊技機の設計の自由度が増大する。
【００２４】
本発明は、第１〜第３の実施の形態で説明した構成に限定されることなく、種々の変更、追加、削除が可能である。
第１〜第３の実施の形態では、被検出部１３ｂを被検出部支持部材１３ａに設けたが、被検出部１３ｂは、駆動軸１２ｄと連動して回転すれば、取り付け位置や取り付け方法は適宜変更可能である。例えば、駆動手段１２の駆動軸１２ｄに被検出部１３ｂを直接設けてもよい。
また、被検出部支持部材１３ａは、非検出部１３ｂを駆動軸１２ｄに取り付けることができればよく、形状や大きさ等は適宜変更可能である。
また、被検出手段１３ｂの設置位置、設置数、形状、大きさ、材質等は種々変更可能である。例えば、第１〜第３の実施の形態では、被検出手段１３ｂが１個設けられている。被検出手段１３ｂは、被検出部支持部材１３ａの、駆動軸１２ｄを中心とする円周に沿って複数設けることもできる。被検出手段１３ｂを複数設けることにより、位置カウンタの補正回数が増え、一層確実に回転体１１の回転位置を検出することができる。
また、被検出部１３ｂを検出する検出手段１３ｃとしては、種々の構成、種々の形式の検出手段を用いることができる。さらに、検出手段１３ｃの配設位置は、適宜変更可能である。
また、本発明は、スロットマシンに限定されず、パチンコ機等種々の遊技機に用いることができる。
また、駆動手段１２により駆動する被駆動体は、回転型表示器に限定されない。
また、被検出部１３ｂを検出した位置を「基準位置」としたが、被検出部１３ｂを検出した位置から所定数の駆動パルスを供給した位置を「基準位置」としてもよい。
また、駆動手段１２は、パルスモータ以外の種々の電動機を含む種々の駆動手段を用いることができる。
また、表示装置に設ける回転型表示器の数は任意である。
また、駆動手段１２の回転子や固定子の構成は任意である。
【００２５】
本発明は、以下のように構成することもできる。
例えば、「（態様１）  請求項１に記載の遊技機であって、被検出部は、被検出部支持部材を介して駆動軸に取り付けられている遊技機。」として構成することができる。
態様１の遊技機では、被検出部支持部材を備えているので、被検出部の駆動軸への取り付けが容易である。また、例えば、駆動軸に被検出部を直接設ける場合と比較すると、被検出部が駆動軸に連動して回転する際の回転半径が大きくなる。このため、分解能が向上し、検出精度が向上する。また、仕様変更等により被検出部の数や位置等を変更する場合や、被検出部を交換する場合には、被検出部支持部材を交換するだけで対応できるため、コストが安価である。
「（態様２）請求項１又は態様１に記載の遊技機であって、回転型表示器は、駆動手段の凹部を覆う蓋部材を備え、検出手段は、蓋部材に取り付けられている遊技機。」として構成することができる。
態様２の遊技機では、蓋部材を取り外すだけで、回転位置検出手段の被検出部と検出手段とを別々に露出させることができる。これにより、被検出部と検出手段の個々のメンテナンスを容易に行うことができる。
「（態様３）請求項１又は態様１、２のいずれかに記載の遊技機であって、駆動手段は筺体内に設けられている固定子と回転子を有し、回転子は凹部を有する形状に形成されていて、回転子の凹部と対向する筺体の外面に、回転位置検出手段が位置する凹部が設けられている遊技機。」として構成することができる。
態様３の遊技機では、駆動手段の動作特性を変更することなく、駆動手段の筺体の外面に凹部を設けることができる。
「（態様４）  請求項１又は態様１〜３のいずれかに記載の遊技機であって、駆動手段は、少なくとも一部が回転体の外周の内側に収容されている遊技機。」として構成することができる。
態様４の遊技機では、回転型表示器の幅を低減することができる。
なお、“回転体の外周”とは、例えば、外周に切り欠き等が設けられている場合には、切り欠き等がない状態の外周を意味する。
「（態様５）  請求項１又は態様１〜４のいずれかに記載の遊技機であって、複数の回転型表示器を備え、いずれかの回転型表示器に設けられている駆動手段は、少なくとも一部が他の回転型表示器の回転体の外周の内側に収容されている遊技機。」として構成することができる。
態様５の遊技機では、複数の回転型表示器により構成される表示装置を小さくすることができる。
【００２６】
【発明の効果】
以上説明したように、請求項１に記載の遊技機を用いれば、駆動手段の筐体を分解することなく回転位置検出手段のメンテナンスができるので、回転位置検出手段のメンテナンス性が向上する。
【図面の簡単な説明】
【図１】本発明の遊技機の第一の実施の形態を示す概略図である。
【図２】図１に示すα部の拡大断面図である。
【図３】本発明の第二の実施の形態を示す概略図である。
【図４】図３に示すβ部の拡大断面図である。
【図５】本発明の第二の実施の形態の変更例を示す概略図である。
【図６】本発明の第三の実施の形態を示す概略図である。
【図７】従来技術を示す図である。
【符号の説明】
１０、２０、３０        回転型表示器
１１、２１、３１        回転体
１１ａ、２１ａ、３１ａ  回転軸
１２、２２、３２        駆動手段
１２ａ、２２ａ、３２ａ  回転子
１２ｂ、２２ｂ、３２ｂ  固定子
１２ｃ、２２ｃ、３２ｃ  筐体
１２ｄ、２２ｄ、３２ｄ  駆動軸
１３、２３、３３        回転位置検出手段
１３ａ、２３ａ、３３ａ  被検出部支持部材
１３ｂ、２３ｂ、３３ｂ  被検出部
１３ｃ、２３ｃ、３３ｃ  検出手段
１２ｃＡ                凹部
１５                    蓋部材
７０                    基部
８０                    収容部材
【図１】
2004329569.tif 000003
【図２】
2004329569.tif 000004
【図３】
2004329569.tif 000005
【図４】
2004329569.tif 000006
【図５】
2004329569.tif 000007
【図６】
2004329569.tif 000008
【図７】
2004329569.tif 000009